(57)【要約】  本発明はデータ伝送方法、端末装置及びネットワーク装置を提供する。該方法は、端末装置がネットワーク装置から送信された第１オフセット値を受信することと、該端末装置が該第１オフセット値に基づいて、該端末装置のアップリンクデータの第１送信電力を確定し、該第１送信電力が第２送信電力以下であり、該第２送信電力は該端末装置が該端末装置の干渉耐性に基づいて確定した送信電力であることと、該端末装置が該第１送信電力に基づいて該ネットワーク装置に該アップリンクデータを送信することと、を含む。本発明の実施例のデータ伝送方法によれば、端末装置のアップリンクデータの送信電力を該第２送信電力より小さくするように確保することができ、更にデータ伝送の成功率を向上させる。
2021503726.tif 000002
【特許請求の範囲】
【請求項１】
端末装置がネットワーク装置から送信された第１オフセット値を受信することと、
前記端末装置が前記第１オフセット値に基づいて、前記端末装置のアップリンクデータの第１送信電力を確定し、前記第１送信電力が第２送信電力以下であり、前記第２送信電力は前記端末装置が前記端末装置の干渉耐性に基づいて確定した送信電力であることと、
前記端末装置が前記第１送信電力に基づいて前記ネットワーク装置に前記アップリンクデータを送信することと、を含むことを特徴とするデータ伝送方法。
【請求項２】
前記第１オフセット値は前記ネットワーク装置が第２オフセット値に基づいて確定した電力オフセット値であり、前記第２オフセット値は前記第２送信電力と第３送信電力との間のオフセット値であり、前記第３送信電力は前記端末装置の現在の送信電力であることを特徴とする請求項１に記載の方法。
【請求項３】
前記端末装置がネットワーク装置から送信された第１オフセット値を受信する前に、前記方法は更に、
前記端末装置が前記ネットワーク装置に前記第２オフセット値を送信することを含むことを特徴とする請求項２に記載の方法。
【請求項４】
前記第２オフセット値が媒体アクセス制御（ＭＡＣ）制御要素（ＣＥ）に含まれることを特徴とする請求項３に記載の方法。
【請求項５】
前記端末装置が前記ネットワーク装置に前記第２オフセット値を送信することは、
前記端末装置が前記ネットワーク装置に前記第２オフセット値を周期的に送信すること、又は、
前記端末装置が前記ネットワーク装置に前記第２オフセット値を１回のみ送信すること、又は、
前記端末装置は報告条件を満足することを確定した場合、前記ネットワーク装置に前記第２オフセット値を送信し、前記報告条件は前記端末装置が前記ネットワーク装置に前記第２オフセット値を送信するようにトリガーすることに用いられることを含むことを特徴とする請求項３に記載の方法。
【請求項６】
前記端末装置は報告条件を満足することを確定した場合、前記ネットワーク装置に前記第２オフセット値を送信することは、
第２偏差値が報告閾値以上である場合、前記端末装置が前記ネットワーク装置に前記第２オフセット値を送信することを含むことを特徴とする請求項５に記載の方法。
【請求項７】
前記第１オフセット値は前記ネットワーク装置が第３オフセット値に基づいて確定した電力オフセット値であり、前記第３オフセット値は前記端末装置から前記ネットワーク装置に送信され、前記第３オフセット値は第３送信電力と第４送信電力との間のオフセット値であり、前記第３送信電力は前記端末装置の現在の送信電力であり、前記第４送信電力は前記端末装置のサポートできる最大送信電力であることを特徴とする請求項１に記載の方法。
【請求項８】
前記端末装置が前記第１オフセット値に基づいて前記端末装置のアップリンクデータの第１送信電力を確定することは、
前記端末装置が前記第１オフセット値及び前記第３送信電力に基づいて第５送信電力を確定することと、
前記端末装置が前記第２送信電力と前記第５送信電力を比較することにより、前記第１送信電力を確定することと、を含むことを特徴とする請求項７に記載の方法。
【請求項９】
前記端末装置が前記第２送信電力と前記第５送信電力を比較することにより、前記第１送信電力を確定することは、
前記第５送信電力が前記第２送信電力より小さい場合、前記端末装置が前記第５送信電力を前記第１送信電力として確定すること、又は、
前記第５送信電力が前記第２送信電力以上である場合、前記端末装置が前記第２送信電力を前記第１送信電力として確定することを含むことを特徴とする請求項８に記載の方法。
【請求項１０】
前記端末装置がネットワーク装置から送信された第１オフセット値を受信する前に、前記方法は更に、
前記端末装置が前記ネットワーク装置に早期警報インジケータを送信し、前記早期警報インジケータは前記ネットワーク装置に前記第２送信電力と第３送信電力との偏差の程度を早期に警報することに用いられ、前記第３送信電力が前記端末装置の現在の送信電力であることを含むことを特徴とする請求項１に記載の方法。
【請求項１１】
前記端末装置が前記ネットワーク装置に早期警報インジケータを送信することは、
前記端末装置は前記第２送信電力と前記第３送信電力との間の偏差値が報告閾値以下であることを確定した場合、前記ネットワーク装置に前記早期警報インジケータを送信することを含むことを特徴とする請求項１０に記載の方法。
【請求項１２】
前記端末装置がネットワーク装置から送信された第１オフセット値を受信する前に、前記方法は更に、
前記端末装置が前記端末装置の干渉耐性に基づいて、前記第２送信電力を確定することを含むことを特徴とする請求項１〜１１のいずれか１項に記載の方法。
【請求項１３】
ネットワーク装置が第１オフセット値を確定することと、
前記ネットワークが前記端末装置に前記第１オフセット値を送信し、それにより前記端末装置が前記第１オフセット値に基づいて前記端末装置のアップリンクデータの第１送信電力を確定し、前記第１送信電力が第２送信電力以下であり、前記第２送信電力は前記端末装置が前記端末装置の干渉耐性に基づいて確定した送信電力であることと、を含むことを特徴とするデータ伝送方法。
【請求項１４】
前記ネットワーク装置が第１オフセット値を確定する前に、前記方法は、
前記ネットワーク装置が前記端末装置から送信された第２オフセット値を受信し、前記第２オフセット値が前記第２送信電力と第３送信電力との間のオフセット値であり、前記第３送信電力が前記端末装置の現在の送信電力であることを含み、
前記ネットワーク装置が第１オフセット値を確定することは、
前記ネットワーク装置が前記第２オフセット値に基づいて前記第１オフセット値を確定することを含むことを特徴とする請求項１３に記載の方法。
【請求項１５】
前記第２オフセット値が媒体アクセス制御（ＭＡＣ）制御要素（ＣＥ）に含まれることを特徴とする請求項１４に記載の方法。
【請求項１６】
前記ネットワーク装置が前記端末装置から送信された第２オフセット値を受信することは、
前記ネットワーク装置が前記端末装置から送信された前記第２オフセット値を周期的に受信すること、又は、
前記ネットワーク装置が前記端末装置から送信された前記第２オフセット値を１回のみ受信することを含むことを特徴とする請求項１４に記載の方法。
【請求項１７】
前記ネットワーク装置が第１オフセット値を確定する前に、前記方法は、
前記ネットワーク装置が前記端末装置から送信された第３オフセット値を受信し、前記第３オフセット値が前記第３送信電力と第４送信電力との間のオフセット値であり、前記第３送信電力が前記端末装置の現在の送信電力であり、前記第４送信電力が前記端末装置のサポートできる最大送信電力であることを含み、
前記ネットワーク装置が第１オフセット値を確定することは、
前記ネットワーク装置が前記第３オフセット値に基づいて前記第１オフセット値を確定することを含むことを特徴とする請求項１３に記載の方法。
【請求項１８】
前記ネットワーク装置が第１オフセット値を確定する前に、前記方法は、
前記ネットワーク装置が前記端末装置から送信された早期警報インジケータを受信し、前記早期警報インジケータは前記ネットワーク装置に前記第２送信電力と第３送信電力との偏差の程度を早期に警報することに用いられ、前記第３送信電力が前記端末装置の現在の送信電力であることを含むことを特徴とする請求項１３に記載の方法。
【請求項１９】
端末装置であって、
ネットワーク装置から送信された第１オフセット値を受信することに用いられる送受信ユニットと、
前記第１オフセット値に基づいて、前記端末装置のアップリンクデータの第１送信電力を確定することに用いられ、前記第１送信電力が第２送信電力以下であり、前記第２送信電力は前記端末装置が前記端末装置の干渉耐性に基づいて確定した送信電力である処理ユニットと、を備え、
前記送受信ユニットは更に、前記第１送信電力に基づいて前記ネットワーク装置に前記アップリンクデータを送信することに用いられることを特徴とする端末装置。
【請求項２０】
前記第１オフセット値は前記ネットワーク装置が第２オフセット値に基づいて確定した電力オフセット値であり、前記第２オフセット値は前記第２送信電力と第３送信電力との間のオフセット値であり、前記第３送信電力は前記端末装置の現在の送信電力であることを特徴とする請求項１９に記載の端末装置。
【請求項２１】
前記送受信ユニットは更に、ネットワーク装置から送信された第１オフセット値を受信する前に、前記ネットワーク装置に前記第２オフセット値を送信することに用いられることを特徴とする請求項２０に記載の端末装置。
【請求項２２】
前記第２オフセット値が媒体アクセス制御（ＭＡＣ）制御要素（ＣＥ）に含まれることを特徴とする請求項２１に記載の端末装置。
【請求項２３】
前記送受信ユニットは具体的に、
前記ネットワーク装置に前記第２オフセット値を周期的に送信すること、又は、
前記ネットワーク装置に前記第２オフセット値を１回のみ送信すること、又は、
報告条件を満足することを確定した場合、前記ネットワーク装置に前記第２オフセット値を送信することに用いられ、前記報告条件は前記端末装置が前記ネットワーク装置に前記第２オフセット値を送信するようにトリガーすることに用いられることを特徴とする請求項２１に記載の端末装置。
【請求項２４】
前記送受信ユニットはより具体的に、第２偏差値が報告閾値以上である場合、前記ネットワーク装置に前記第２オフセット値を送信することに用いられることを特徴とする請求項２３に記載の端末装置。
【請求項２５】
前記第１オフセット値は前記ネットワーク装置が第３オフセット値に基づいて確定した電力オフセット値であり、前記第３オフセット値は前記端末装置から前記ネットワーク装置に送信され、前記第３オフセット値は第３送信電力と第４送信電力との間のオフセット値であり、前記第３送信電力は前記端末装置の現在の送信電力であり、前記第４送信電力は前記端末装置のサポートできる最大送信電力であることを特徴とする請求項１９に記載の端末装置。
【請求項２６】
処理ユニットは具体的に、
前記第１オフセット値及び前記第３送信電力に基づいて第５送信電力を確定することと、
前記第２送信電力と前記第５送信電力を比較することにより、前記第１送信電力を確定することと、に用いられることを特徴とする請求項２５に記載の端末装置。
【請求項２７】
前記処理ユニットは具体的に、
前記第５送信電力が前記第２送信電力より小さい場合、前記第５送信電力を前記第１送信電力として確定すること、又は、
前記第５送信電力が前記第２送信電力以上である場合、前記第２送信電力を前記第１送信電力として確定することに用いられることを特徴とする請求項２６に記載の端末装置。
【請求項２８】
前記送受信ユニットは更に、ネットワーク装置から送信された第１オフセット値を受信する前に、前記ネットワーク装置に早期警報インジケータを送信することに用いられ、前記早期警報インジケータは前記ネットワーク装置に前記第２送信電力と第３送信電力との偏差の程度を早期に警報することに用いられ、前記第３送信電力は前記端末装置の現在の送信電力であることを特徴とする請求項１９に記載の端末装置。
【請求項２９】
前記送受信ユニットは具体的に、前記第２送信電力と前記第３送信電力との間の偏差値が報告閾値以下であることを確定した場合、前記ネットワーク装置に前記早期警報インジケータを送信することに用いられることを特徴とする請求項２８に記載の端末装置。
【請求項３０】
前記処理ユニットは更に、ネットワーク装置から送信された第１オフセット値を受信する前に、前記端末装置の干渉耐性に基づいて、前記第２送信電力を確定することに用いられることを特徴とする請求項１９〜２９のいずれか１項に記載の端末装置。
【請求項３１】
第１オフセット値を確定することに用いられる処理ユニットと、
前記端末装置に前記第１オフセット値を送信することに用いられ、それにより前記端末装置が前記第１オフセット値に基づいて前記端末装置のアップリンクデータの第１送信電力を確定し、前記第１送信電力は第２送信電力以下であり、前記第２送信電力は前記端末装置が前記端末装置の干渉耐性に基づいて確定した送信電力である送受信ユニットと、を備えることを特徴とするネットワーク装置。
【請求項３２】
前記送受信ユニットは更に、前記第１オフセット値を確定する前に、前記端末装置から送信された第２オフセット値を受信することに用いられ、前記第２オフセット値は前記第２送信電力と第３送信電力との間のオフセット値であり、前記第３送信電力は前記端末装置の現在の送信電力であり、
前記処理ユニットは、前記第２オフセット値に基づいて前記第１オフセット値を確定することに用いられることを特徴とする請求項３１に記載のネットワーク装置。
【請求項３３】
前記第２オフセット値が媒体アクセス制御（ＭＡＣ）制御要素（ＣＥ）に含まれることを特徴とする請求項３２に記載のネットワーク装置。
【請求項３４】
前記送受信ユニットは具体的に、
前記端末装置から送信された前記第２オフセット値を周期的に受信すること、又は、
前記端末装置から送信された前記第２オフセット値を１回のみ受信することに用いられることを特徴とする請求項３２に記載のネットワーク装置。
【請求項３５】
前記送受信ユニットは更に、前記第１オフセット値を確定する前に、前記端末装置から送信された第３オフセット値を受信することに用いられ、前記第３オフセット値は前記第３送信電力と第４送信電力との間のオフセット値であり、前記第３送信電力は前記端末装置の現在の送信電力であり、前記第４送信電力は前記端末装置のサポートできる最大送信電力であり、
前記処理ユニットは、前記第３オフセット値に基づいて前記第１オフセット値を確定することに用いられることを特徴とする請求項３１に記載のネットワーク装置。
【請求項３６】
前記送受信ユニットは更に、前記第１オフセット値を確定する前に、前記端末装置から送信された早期警報インジケータを受信することに用いられ、前記早期警報インジケータは前記ネットワーク装置に前記第２送信電力と第３送信電力との偏差の程度を早期に警報することに用いられ、前記第３送信電力は前記端末装置の現在の送信電力であることを特徴とする請求項３１に記載のネットワーク装置。
【発明の詳細な説明】
【技術分野】
【０００１】
本発明の実施例は通信分野に関し、より具体的に、データ伝送方法、端末装置及びネットワーク装置に関する。
【背景技術】
【０００２】
人々の速度、遅延、高速モビリティ、エネルギー効率への追求及び将来生活の中のサービスの多様性、複雑性に伴い、第３世代移動体通信システムの標準化プロジェクト（３ＧＰＰ、Ｔｈｅ  ３ｒｄ  Ｇｅｎｅｒａｔｉｏｎ  Ｐａｒｔｎｅｒｓｈｉｐ  Ｐｒｏｊｅｃｔ）国際標準化機構は第５世代移動通信システム（５Ｇ、５−Ｇｅｎｅｒａｔｉｏｎ）についての研究開発を開始した。５Ｇの主な応用シーンは超高速大容量（ｅＭＢＢ、Ｅｎｈａｎｃｅ  Ｍｏｂｉｌｅ  Ｂｒｏａｄｂａｎｄ）、超高信頼低遅延通信（ＵＲＬＬＣ、Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）、大規模マシンタイプ通信（ｍＭＴＣ、ｍａｓｓｉｖｅ  ｍａｃｈｉｎｅ  ｔｙｐｅ  ｏｆ  ｃｏｍｍｕｎｉｃａｔｉｏｎ）である。
【０００３】
新無線インターフェース（ＮＲ、Ｎｅｗ  Ｒａｄｉｏ）を初期にデプロイするとき、完全なＮＲカバレッジを実現することが困難であるため、代表的なネットワークカバレッジは広域のロングタームエボリューション（ＬＴＥ、Ｌｏｎｇ  Ｔｅｒｍ  Ｅｖｏｌｕｔｉｏｎ）カバレッジ及びＮＲの孤島カバレッジモードである。且つ、多くのＬＴＥが６ＧＨｚ以下でデプロイされるため、５Ｇに使用できる６ＧＨｚ以下のスペクトルが少ない。従って、ＮＲについては６ＧＨｚ以上のスペクトルアプリケーションを研究しなければならないが、高周波数帯のカバレッジが限られており、信号フェージングが速い。従来技術において、通信事業者が前期にＬＴＥに対して投資を行うように確保するために、ＬＴＥとＮＲとの間の密接な相互動作（ｔｉｇｈｔ  ｉｎｔｅｒｗｏｒｋｉｎｇ）の動作モードを提出する。具体的には、帯域幅（ｂａｎｄ）の組み合わせでＬＴＥ−ＮＲデュアル接続（ＤＣ、Ｄｕａｌ  Ｃｏｎｎｅｃｔｉｏｎ）によるデータの伝送をサポートし、システムスループットを向上させる。
【０００４】
しかしながら、異なる周波数帯にある２つ又はそれ以上のキャリアにおいて１つの端末装置が同時に動作する場合、これらのキャリアのアップリンク信号がいくつかのキャリアのダウンリンク受信信号に干渉を与える恐れがあり、データ伝送の成功率を低下させてしまう。
【発明の概要】
【発明が解決しようとする課題】
【０００５】
本発明はデータ伝送の成功率を効果的に向上させることができるデータ伝送方法、端末装置及びネットワーク装置を提供する。
【課題を解決するための手段】
【０００６】
第１態様では、データ伝送方法を提供し、前記方法は、
端末装置がネットワーク装置から送信された第１オフセット値を受信することと、
前記端末装置が前記第１オフセット値に基づいて、前記端末装置のアップリンクデータの第１送信電力を確定し、前記第１送信電力が第２送信電力以下であり、前記第２送信電力は前記端末装置が前記端末装置の干渉耐性に基づいて確定した送信電力であることと、
前記端末装置が前記第１送信電力に基づいて前記ネットワーク装置に前記アップリンクデータを送信することと、を含む。
【０００７】
本発明の実施例の技術案によれば、端末装置のアップリンクデータの送信電力を該第２送信電力より小さくするように確保することができ、それによりデータ伝送の成功率を効果的に向上させる。
【０００８】
いくつかの可能な実現方式では、前記第１オフセット値は前記ネットワーク装置が第２オフセット値に基づいて確定した電力オフセット値であり、前記第２オフセット値は前記第２送信電力と第３送信電力との間のオフセット値であり、前記第３送信電力は前記端末装置の現在の送信電力である。
【０００９】
いくつかの可能な実現方式では、前記端末装置がネットワーク装置から送信された第１オフセット値を受信する前に、前記方法は更に、
前記端末装置が前記ネットワーク装置に前記第２オフセット値を送信することを含む。
【００１０】
いくつかの可能な実現方式では、前記第２オフセット値は媒体アクセス制御（ＭＡＣ）制御要素（ＣＥ）に含まれる。
【００１１】
いくつかの可能な実現方式では、前記端末装置が前記ネットワーク装置に前記第２オフセット値を送信することは、
前記端末装置が前記ネットワーク装置に前記第２オフセット値を周期的に送信すること、又は、前記端末装置が前記ネットワーク装置に前記第２オフセット値を１回のみ送信すること、又は、前記端末装置は報告条件を満足することを確定した場合、前記ネットワーク装置に前記第２オフセット値を送信し、前記報告条件は前記端末装置が前記ネットワーク装置に前記第２オフセット値を送信するようにトリガーすることに用いられることを含む。
【００１２】
いくつかの可能な実現方式では、前記端末装置は報告条件を満足することを確定した場合、前記ネットワーク装置に前記第２オフセット値を送信することは、
第２偏差値が報告閾値以上である場合、前記端末装置が前記ネットワーク装置に前記第２オフセット値を送信することを含む。
【００１３】
いくつかの可能な実現方式では、前記第１オフセット値は前記ネットワーク装置が第３オフセット値に基づいて確定した電力オフセット値であり、前記第３オフセット値は前記端末装置から前記ネットワーク装置に送信され、前記第３オフセット値は第３送信電力と第４送信電力との間のオフセット値であり、前記第３送信電力は前記端末装置の現在の送信電力であり、前記第４送信電力は前記端末装置のサポートできる最大送信電力である。
【００１４】
いくつかの可能な実現方式では、前記端末装置が前記第１オフセット値に基づいて前記端末装置のアップリンクデータの第１送信電力を確定することは、
前記端末装置が前記第１オフセット値及び前記第３送信電力に基づいて第５送信電力を確定することと、前記端末装置が前記第２送信電力と前記第５送信電力を比較することにより、前記第１送信電力を確定することと、を含む。
【００１５】
いくつかの可能な実現方式では、前記端末装置が前記第２送信電力と前記第５送信電力を比較することにより、前記第１送信電力を確定することは、
前記第５送信電力が前記第２送信電力より小さい場合、前記端末装置が前記第５送信電力を前記第１送信電力として確定すること、又は、前記第５送信電力が前記第２送信電力以上である場合、前記端末装置が前記第２送信電力を前記第１送信電力として確定することを含む。
【００１６】
いくつかの可能な実現方式では、前記端末装置がネットワーク装置から送信された第１オフセット値を受信する前に、前記方法は更に、
前記端末装置が前記ネットワーク装置に早期警報インジケータを送信し、前記早期警報インジケータは前記ネットワーク装置に前記第２送信電力と第３送信電力との偏差の程度を早期に警報することに用いられ、前記第３送信電力が前記端末装置の現在の送信電力であることを含む。
【００１７】
いくつかの可能な実現方式では、前記端末装置が前記ネットワーク装置に早期警報インジケータを送信することは、
前記端末装置は前記第２送信電力と前記第３送信電力との間の偏差値が報告閾値以下であることを確定した場合、前記ネットワーク装置に前記早期警報インジケータを送信することを含む。
【００１８】
いくつかの可能な実現方式では、前記端末装置がネットワーク装置から送信された第１オフセット値を受信する前に、前記方法は更に、
前記端末装置が前記端末装置の干渉耐性に基づいて、前記第２送信電力を確定することを含む。
【００１９】
第２態様では、データ伝送方法を提供し、前記方法は、
ネットワーク装置が第１オフセット値を確定することと、
前記ネットワークが前記端末装置に前記第１オフセット値を送信し、それにより前記端末装置が前記第１オフセット値に基づいて前記端末装置のアップリンクデータの第１送信電力を確定し、前記第１送信電力が第２送信電力以下であり、前記第２送信電力は前記端末装置が前記端末装置の干渉耐性に基づいて確定した送信電力であることと、を含む。
【００２０】
いくつかの可能な実現方式では、前記ネットワーク装置が第１オフセット値を確定する前に、前記方法は、
前記ネットワーク装置が前記端末装置から送信された第２オフセット値を受信し、前記第２オフセット値が前記第２送信電力と第３送信電力との間のオフセット値であり、前記第３送信電力が前記端末装置の現在の送信電力であることを含み、
前記ネットワーク装置が第１オフセット値を確定することは、
前記ネットワーク装置が前記第２オフセット値に基づいて前記第１オフセット値を確定することを含む。
【００２１】
いくつかの可能な実現方式では、前記第２オフセット値は媒体アクセス制御（ＭＡＣ）制御要素（ＣＥ）に含まれる。
【００２２】
いくつかの可能な実現方式では、前記ネットワーク装置が前記端末装置から送信された第２オフセット値を受信することは、
前記ネットワーク装置が前記端末装置から送信された前記第２オフセット値を周期的に受信すること、又は、前記ネットワーク装置が前記端末装置から送信された前記第２オフセット値を１回のみ受信することを含む。
【００２３】
いくつかの可能な実現方式では、前記ネットワーク装置が第１オフセット値を確定する前に、前記方法は、
前記ネットワーク装置が前記端末装置から送信された第３オフセット値を受信し、前記第３オフセット値が前記第３送信電力と第４送信電力との間のオフセット値であり、前記第３送信電力が前記端末装置の現在の送信電力であり、前記第４送信電力が前記端末装置のサポートできる最大送信電力であることを含み、
前記ネットワーク装置が第１オフセット値を確定することは、
前記ネットワーク装置が前記第３オフセット値に基づいて前記第１オフセット値を確定することを含む。
【００２４】
いくつかの可能な実現方式では、前記ネットワーク装置が第１オフセット値を確定する前に、前記方法は、
前記ネットワーク装置が前記端末装置から送信された早期警報インジケータを受信し、前記早期警報インジケータは前記ネットワーク装置に前記第２送信電力と第３送信電力との偏差の程度を早期に警報することに用いられ、前記第３送信電力が前記端末装置の現在の送信電力であることを含む。
【００２５】
第３態様では、端末装置を提供し、
ネットワーク装置から送信された第１オフセット値を受信することに用いられる送受信ユニットと、
前記第１オフセット値に基づいて、前記端末装置のアップリンクデータの第１送信電力を確定することに用いられ、前記第１送信電力が第２送信電力以下であり、前記第２送信電力は前記端末装置が前記端末装置の干渉耐性に基づいて確定した送信電力である処理ユニットと、を備え、
前記送受信ユニットは更に、前記第１送信電力に基づいて前記ネットワーク装置に前記アップリンクデータを送信することに用いられる。
【００２６】
第４態様では、端末装置を提供し、
ネットワーク装置から送信された第１オフセット値を受信することに用いられる送受信機と、
前記第１オフセット値に基づいて、前記端末装置のアップリンクデータの第１送信電力を確定することに用いられ、前記第１送信電力が第２送信電力以下であり、前記第２送信電力は前記端末装置が前記端末装置の干渉耐性に基づいて確定した送信電力であるプロセッサと、を備え、
前記送受信機は更に、前記第１送信電力に基づいて前記ネットワーク装置に前記アップリンクデータを送信することに用いられる。
【００２７】
第５態様では、ネットワーク装置を提供し、
第１オフセット値を確定することに用いられる処理ユニットと、
前記端末装置に前記第１オフセット値を送信することに用いられ、それにより前記端末装置が前記第１オフセット値に基づいて前記端末装置のアップリンクデータの第１送信電力を確定し、前記第１送信電力が第２送信電力以下であり、前記第２送信電力は前記端末装置が前記端末装置の干渉耐性に基づいて確定した送信電力である送受信ユニットと、を備える。
【００２８】
第６態様では、ネットワーク装置を提供し、
第１オフセット値を確定することに用いられるプロセッサと、
前記端末装置に前記第１オフセット値を送信することに用いられ、それにより前記端末装置が前記第１オフセット値に基づいて前記端末装置のアップリンクデータの第１送信電力を確定し、前記第１送信電力が第２送信電力以下であり、前記第２送信電力は前記端末装置が前記端末装置の干渉耐性に基づいて確定した送信電力である送受信機と、を備える。
【００２９】
第７態様では、コンピュータ可読媒体を提供し、コンピュータプログラムを記憶することに用いられ、該コンピュータプログラムは上記第１態様又は第２態様の方法実施例を実行するための命令を含む。
【００３０】
第８態様では、コンピュータチップを提供し、入力インターフェース、出力インターフェース、少なくとも１つのプロセッサ、メモリを備え、前記プロセッサは前記メモリにおけるコードを実行することに用いられ、前記コードが実行されるとき、前記プロセッサは上記第１態様及び各実現方式におけるデータ伝送方法における端末装置の実行する各過程を実現することができる。
【００３１】
第９態様では、コンピュータチップを提供し、入力インターフェース、出力インターフェース、少なくとも１つのプロセッサ、メモリを備え、前記プロセッサは前記メモリにおけるコードを実行することに用いられ、前記コードが実行されるとき、前記プロセッサは上記第２態様及び各実現方式におけるデータ伝送方法におけるネットワーク装置の実行する各過程を実現することができる。
【００３２】
第１０態様では、通信システムを提供し、上記ネットワーク装置及び上記端末装置を備える。
【図面の簡単な説明】
【００３３】
【図１】図１は本発明の実施例の通信システムの例示である。
【図２】図２は本発明の実施例のデータ伝送方法の模式的なフローチャートである。
【図３】図３は本発明の実施例の端末装置の模式的なブロック図である。
【図４】図４は本発明の実施例の端末装置の他の模式的なブロック図である。
【図５】図５は本発明の実施例のネットワーク装置の模式的なブロック図である。
【図６】図６は本発明の実施例のネットワーク装置の他の模式的なブロック図である。
【発明を実施するための形態】
【００３４】
図１は本発明の実施例の応用シーンの模式図である。
【００３５】
図１に示すように、通信システム１００は端末装置１１０及びネットワーク装置１２０を備えてもよい。ネットワーク装置１２０はエアーインターフェースを介して端末装置１１０と通信することができる。端末装置１１０とネットワーク装置１２０との間にはマルチサービス伝送をサポートする。
【００３６】
理解されるべきように、本発明の実施例は通信システム１００を例として説明するが、本発明の実施例はこれに限らない。すなわち、本発明の実施例の技術案は様々な各通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）等に適用されてもよい。
【００３７】
また、本発明はネットワーク装置及び端末装置と組み合わせて各実施例を説明する。
【００３８】
ネットワーク装置１２０とは信号を送受信するためのネットワーク側のいずれか１つのエンティティを指してもよい。例えば、マシン通信（ＭＴＣ）のユーザー装置、ＧＳＭ又はＣＤＭＡにおける基地局（ＢＴＳ、Ｂａｓｅ  Ｔｒａｎｓｃｅｉｖｅｒ  Ｓｔａｔｉｏｎ）、ＷＣＤＭＡにおける基地局（ＮｏｄｅＢ）、ＬＴＥにおける発展型基地局（ｅＮＢ又はｅＮｏｄｅＢ、Ｅｖｏｌｕｔｉｏｎａｌ  Ｎｏｄｅ  Ｂ）、５Ｇネットワークにおける基地局装置等であってもよい。
【００３９】
端末装置１１０はいかなる端末装置であってもよい。具体的に、端末装置１１０は無線アクセスネットワーク（ＲＡＮ、Ｒａｄｉｏ  Ａｃｃｅｓｓ  Ｎｅｔｗｏｒｋ）を介して１つ又は複数のコアネットワーク（Ｃｏｒｅ  Ｎｅｔｗｏｒｋ）と通信することができ、アクセス端末、ユーザー装置（ＵＥ、Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスと称されてもよい。例えば、セルラー方式の電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末及び５Ｇネットワークにおける端末装置等であってもよい。
【００４０】
５Ｇ通信システムにおいて、新無線インターフェース（ＮＲ、Ｎｅｗ  Ｒａｄｉｏ）を初期にデプロイするとき、完全なＮＲカバレッジを実現することが困難であるため、代表的なネットワークカバレッジは広域のロングタームエボリューション（ＬＴＥ、Ｌｏｎｇ  Ｔｅｒｍ  Ｅｖｏｌｕｔｉｏｎ）カバレッジ及びＮＲの孤島カバレッジモードである。且つ、多くのＬＴＥが６ＧＨｚ以下でデプロイされるため、５Ｇに使用できる６ＧＨｚ以下のスペクトルが少ない。従って、ＮＲについては６ＧＨｚ以上のスペクトルアプリケーションを研究しなければならないが、高周波数帯のカバレッジが限られており、信号フェージングが速い。具体的には、帯域幅（ｂａｎｄ）の組み合わせでＬＴＥ−ＮＲデュアル接続（ＤＣ、Ｄｕａｌ  Ｃｏｎｎｅｃｔｉｏｎ）によるデータの伝送をサポートし、システムスループットを向上させる。しかしながら、異なる周波数帯にある２つ又はそれ以上のキャリアにおいて１つの端末装置が同時に動作する場合、これらのキャリアのアップリンク信号がいくつかのキャリアのダウンリンク受信信号に干渉を与える恐れがあり、データ伝送の成功率を低下させてしまう。
【００４１】
しかしながら、自己干渉問題の深刻さに対する推定（ＭＳＤ）は２３ｄｂｍ（端末の最大送信電力）に基づくものであり、端末装置が最大送信電力で動作しないとき、対応する自己干渉も対応的に減少し（同じ帯域幅の場合）、従って、干渉側の送信電力を低減することにより、干渉度をある程度に小さくすることができる。
【００４２】
従って、本発明の実施例は端末装置のアップリンク送信電力を制御することによりデータ伝送の成功率を効果的に向上させることができるデータ伝送方法を提供する。
【００４３】
図２は本発明の実施例のデータ伝送方法の模式的なフローチャートである。
【００４４】
図２に示すように、該方法は、下記の２１０〜２３０を含む。
【００４５】
２１０、ネットワーク装置が第１オフセット値を確定する。
２２０、該ネットワーク装置が端末装置に該第１オフセット値を送信する。
２３０、該端末装置が該第１オフセット値に基づいて第１送信電力を確定する。
【００４６】
具体的に、端末装置はネットワーク装置から送信された第１オフセット値を受信し、該端末装置は該第１オフセット値に基づいて、該端末装置のアップリンクデータの第１送信電力を確定し、該第１送信電力は第２送信電力以下であり、該第２送信電力は該端末装置が該端末装置の干渉耐性に基づいて確定した送信電力であり、該端末装置は該第１送信電力に基づいて該ネットワーク装置に該アップリンクデータを送信する。
【００４７】
以上によれば、本発明の実施例は複数の送信電力に関わり、理解の都合上、以下に本発明の実施例に関わる送信電力を説明する。
【００４８】
第１送信電力
該第１送信電力は端末装置の確定したアップリンクデータを送信するために用いる送信電力である。すなわち、該第１送信電力は端末装置がアップリンクデータを送信する前に確定すべき送信電力である。
【００４９】
第４送信電力
該第４送信電力とは該端末装置のサポートできる最大送信電力を指す。
【００５０】
第２送信電力
該第２送信電力は該第４送信電力より小さいいずれか１つの送信電力であってもよい。選択肢として、端末装置は該端末装置の干渉耐性に基づいて１つの限られた最大送信電力（即ち第２送信電力）を確定することができ、該限られた最大送信電力は端末装置のサポートできる最大送信電力（即ち第４送信電力）より小さい。理解されるべきように、該端末装置の干渉耐性は、端末装置が該端末装置の内部干渉レベルに基づいて確定した送信電力であってもよい。換言すれば、該端末装置は該限られた最大送信電力以下でアップリンクデータを送信し、受信側への干渉レベルを受信側の許容できるレベルに低下させることができる。すなわち、該端末装置がデータを同時に送受信するとき、送信電力は限られた最大送信電力以下であるべきであり、それにより該端末装置が受信されたデータを正しく復調するように確保することができる。
【００５１】
第３送信電力
該第３送信電力とは該端末装置がデータを送信する際の現在の送信電力（実際の送信電力）を指す。一実施例において、該第３送信電力は該第１送信電力である。換言すれば、該端末装置がアップリンクデータを送信する前に使用しようとする第３送信電力は、該端末装置がデータを送信する際に使用する送信電力であってもよい。
【００５２】
解決手段を理解するために、以下に以上のいくつかの送信電力と組み合わせてネットワーク装置が端末装置のアップリンク電力を制御する方式を簡単に説明する。
【００５３】
実際の製品では、端末装置は上記第１送信電力、第２送信電力、第３送信電力及び第４送信電力を確定することができる。ところが、ネットワーク装置は上記送信電力を把握していない。従って、ネットワーク装置が端末装置のアップリンク電力を制御するとき、いくつかのインタラクション情報によって制御する必要がある。
【００５４】
具体的に、端末装置はネットワーク装置に１つのオフセット値を送信し、該オフセット値は該第３送信電力と該第４送信電力との間のオフセット値であり、ネットワーク装置はこのオフセット値を受信すると、第３送信電力の調整範囲を把握でき、これにより、更にチャネルの状態情報及びデータの復調状況に基づいて１つの調整量を確定することができる。次に、該ネットワーク装置が該調整量を端末装置に送信することにより、端末装置は第３送信電力を調整し、更に第１送信電力を確定する。最後に、該端末装置は該第１送信電力によってアップリンクデータを送信する。
【００５５】
以下、ネットワーク装置のアップリンク電力制御モードと組み合わせて、該端末装置が該第１オフセット値に基づいて第１送信電力を確定する実現方式を説明する。
【００５６】
一実施例において、該第１オフセット値は該ネットワーク装置が第２オフセット値に基づいて確定した電力オフセット値であってもよく、該第２オフセット値は該第２送信電力と第３送信電力との間のオフセット値であり、該第３送信電力は該端末装置の現在の送信電力である。選択肢として、該端末装置はネットワーク装置から送信された第１オフセット値を受信する前に、該ネットワーク装置に該第２オフセット値を送信する必要がある。
【００５７】
選択肢として、該第２オフセット値は媒体アクセス制御（ＭＡＣ）制御要素（ＣＥ）に含まれてもよい。
【００５８】
選択肢として、該端末装置は該ネットワーク装置に該第２オフセット値を周期的に送信することができる。具体的に、端末装置は一定の周期で限られた最大送信電力のオフセット値を報告することができる。ネットワーク装置は新たな限られた最大送信電力のオフセット値を受信すると、前の限られた最大送信電力のオフセット値を廃棄する。
【００５９】
理解されるべきように、以上の第２オフセット値の送信方式は単に例示的なものであり、本発明の実施例は具体的に制限しない。
【００６０】
例えば、該端末装置は該ネットワーク装置に該第２オフセット値を１回のみ送信してもよい。
【００６１】
更に、例えば、該端末装置は報告条件を満足することを確定した場合のみ、該ネットワーク装置に該第２オフセット値を送信してもよく、該報告条件は該端末装置が該ネットワーク装置に該第２オフセット値を送信するようにトリガーすることに用いられる。更に、第２偏差値が報告閾値以上である場合、該端末装置は該ネットワーク装置に該第２オフセット値を送信し、換言すれば、現在あるアップリンクの現在の送信電力（第３送信電力）がＰＣ１＿ｍａｘであることを仮定し、端末の現在実際にサポートできる送信電力（第２送信電力）がＰＣ２であれば、ＰＣ１＿ｍａｘ−ＰＣ２＞報告閾値の場合、端末がネットワークに報告するようにトリガーする。
【００６２】
更に、例えば、該第２オフセット値はいくつかの既存のメッセージに含まれてもよく、単独で伝送されてもよい。
【００６３】
理解されるべきように、本発明の実施例において、スケジューリング情報及び経路損失（ＰＬ）によって該端末装置のアップリンク送信電力が第２送信電力を超える場合、該端末装置は依然として第２送信電力でアップリンクデータを送信する。
【００６４】
他の実施例において、該第１オフセット値は該ネットワーク装置が第３オフセット値に基づいて確定した電力オフセット値であり、該第３オフセット値は該端末装置から該ネットワーク装置に送信され、該第３オフセット値は第３送信電力と第４送信電力との間のオフセット値であり、該第３送信電力は該端末装置の実際の送信電力であり、該第４送信電力は該端末装置のサポートできる最大送信電力である。
【００６５】
本発明の実施例において、端末装置がネットワーク装置に送信した第３オフセット値は、実際の送信電力と該端末装置のサポートできる最大送信電力との偏差値であり、従って、データ伝送の成功率を確保するために、即ち、該第１送信電力を該第２送信電力以下にするように確保するために、端末装置は該第２送信電力及び該第３偏差値に基づいて該第１送信電力を確定する必要がある。
【００６６】
具体的に、該端末装置はまず該第１オフセット値及び該第３送信電力に基づいて第５送信電力を確定してもよく、次に、該端末装置は該第２送信電力と該第５送信電力を比較することにより、該第１送信電力を確定する。
【００６７】
例えば、該第５送信電力が該第２送信電力より小さい場合、該端末装置は該第５送信電力を該第１送信電力として確定する。
【００６８】
具体的に、該端末装置のアップリンク送信電力にネットワーク装置から送信されたアップリンク電力制御（ＴＰＣ）命令における電力調整値を加えたものが該端末装置の限られた最大送信電力より小さい場合、該端末装置は従来技術に基づいてアップリンク電力制御命令を実行し、ＴＰＣに基づいてアップリンク送信電力を調整し、且つ新たな電力でアップリンクデータを送信する。
【００６９】
更に、例えば、該第５送信電力が該第２送信電力以上である場合、該端末装置は該第２送信電力を該第１送信電力として確定する。
【００７０】
具体的に、該端末装置のアップリンク送信電力にＴＰＣにおける電力調整値を加えたものが該端末装置の限られた最大送信電力以上である場合、該端末装置は該端末装置の限られた最大送信電力でアップリンクデータを送信する。
【００７１】
理解されるべきように、本発明の実施例において、該端末装置は既に限られた最大送信電力でアップリンクデータを送信する状態にある場合、該ネットワーク装置からのＴＰＣ命令を受信し、該ＴＰＣ命令は該端末装置のアップリンク送信電力を小さくすることであれば、該端末装置はＴＰＣに基づいてアップリンク送信電力を調整し、且つ新たな電力でアップリンクデータを送信する。該端末装置は既に限られた最大送信電力でアップリンクデータを送信する状態にある場合、該ネットワーク装置からのＴＰＣ命令を受信し、該ＴＰＣ命令は該端末装置のアップリンク送信電力を大きくすることであれば、該ネットワーク装置からのＴＰＣ命令を無視して、依然として該端末装置の限られた最大送信電力でアップリンクデータを送信する。選択肢として、該端末装置は該ネットワーク装置に該端末装置がＴＰＣインジケータを無効にすることを指示する。該ネットワーク装置は該インジケータを受信した後、しばらく該端末装置のアップリンク送信電力を大きくするＴＰＣ命令を送信しない。該端末装置をスケジューリングする際に低次変調及び符号化ポリシー（ＭＣＳ）を用いる。
【００７２】
更に理解されるべきように、本発明の実施例において、スケジューリング情報及び経路損失（ＰＬ）によって該端末装置のアップリンク送信電力が第２送信電力を超える場合、該端末装置は依然として第２送信電力でアップリンクデータを送信する。
【００７３】
他の実施例において、該端末装置はネットワーク装置から送信された第１オフセット値を受信する前に、該ネットワーク装置に早期警報インジケータを送信してもよく、該早期警報インジケータは該ネットワーク装置に該第２送信電力と第３送信電力との偏差の程度を早期に警報することに用いられ、該第３送信電力は該端末装置の現在の送信電力である。
【００７４】
具体的に、該ネットワーク装置は該端末装置が電力制限状態に近づける程度を把握するために、該端末装置は該ネットワーク装置にインジケータを送信することにより、該電力制限状態にまもなく入ることを早期に警報し、これにより、実際の送信電力が端末装置の限られた送信電力により近づける場合、端末装置がネットワークに早期に警報すれば、閾値を超えた後に端末装置がＴＰＣ命令を頻繁に廃棄することを回避することができる。
【００７５】
例えば、該端末装置は該第２送信電力と該第３送信電力との偏差値が報告閾値以下であることを確定した場合、該ネットワーク装置に該早期警報インジケータを送信してもよい。
【００７６】
換言すれば、第２送信電力（ＰＣ３＿ｍａｘ）−該第３送信電力（Ｐ＿Ｔｘ）＜閾値Ｙの場合、端末がネットワークに報告するようにトリガーし、Ｙが１つの閾値である。
【００７７】
理解されるべきように、本発明の実施例の目的は端末装置がアップリンクデータを送信する送信電力を本発明の実施例における第２送信電力以下に制御することである。従って、即ち、上記実施例は単に本発明の実施例の例示的な実施例であり、本発明の実施例はこれに限らない。
【００７８】
更に理解されるべきように、本発明の実施例における端末装置は該第１送信電力を確定するとき、上記１つ又は複数の実施例の実現方式と組み合わせて確定してもよく、本発明の実施例は、具体的に制限しない。
【００７９】
図３は本発明の実施例の端末装置３００の模式的なブロック図である。
【００８０】
図３に示すように、該端末装置３００は、
ネットワーク装置から送信された第１オフセット値を受信することに用いられる送受信ユニット３１０と、
該第１オフセット値に基づいて、該端末装置のアップリンクデータの第１送信電力を確定することに用いられ、該第１送信電力が第２送信電力以下であり、該第２送信電力は該端末装置が該端末装置の干渉耐性に基づいて確定した送信電力である処理ユニット３２０と、を備え、
該送受信ユニット３１０は更に、該第１送信電力で該ネットワーク装置に該アップリンクデータを送信することに用いられる。
【００８１】
選択肢として、該第１オフセット値は該ネットワーク装置が第２オフセット値に基づいて確定した電力オフセット値であり、該第２オフセット値は該第２送信電力と第３送信電力との間のオフセット値であり、該第３送信電力は該端末装置の現在の送信電力である。
【００８２】
選択肢として、該送受信ユニット３１０は更に、ネットワーク装置から送信された第１オフセット値を受信する前に、該ネットワーク装置に該第２オフセット値を送信することに用いられる。
【００８３】
選択肢として、該第２オフセット値は媒体アクセス制御（ＭＡＣ）制御要素（ＣＥ）に含まれる。
【００８４】
選択肢として、該送受信ユニット３１０は具体的に、
該ネットワーク装置に該第２オフセット値を周期的に送信すること、又は、該ネットワーク装置に該第２オフセット値を１回のみ送信すること、又は、報告条件を満足することを確定した場合、該ネットワーク装置に該第２オフセット値を送信することに用いられ、該報告条件は該端末装置が該ネットワーク装置に該第２オフセット値を送信するようにトリガーすることに用いられる。
【００８５】
選択肢として、該送受信ユニット３１０はより具体的に、第２偏差値が報告閾値以上である場合、該ネットワーク装置に該第２オフセット値を送信することに用いられる。
【００８６】
選択肢として、該第１オフセット値は該ネットワーク装置が第３オフセット値に基づいて確定した電力オフセット値であり、該第３オフセット値は該端末装置から該ネットワーク装置に送信され、該第３オフセット値は第３送信電力と第４送信電力との間のオフセット値であり、該第３送信電力は該端末装置の現在の送信電力であり、該第４送信電力は該端末装置のサポートできる最大送信電力である。
【００８７】
選択肢として、処理ユニット３２０は具体的に、該第１オフセット値及び該第３送信電力に基づいて第５送信電力を確定することと、該第２送信電力と該第５送信電力を比較することにより、該第１送信電力を確定することとに用いられる。
【００８８】
選択肢として、該処理ユニット３２０は具体的に、該第５送信電力が該第２送信電力より小さい場合、該第５送信電力を該第１送信電力として確定すること、又は、該第５送信電力が該第２送信電力以上である場合、該第２送信電力を該第１送信電力として確定することに用いられる。
【００８９】
選択肢として、該送受信ユニット３１０は更に、ネットワーク装置から送信された第１オフセット値を受信する前に、該ネットワーク装置に早期警報インジケータを送信することに用いられ、該早期警報インジケータは該ネットワーク装置に該第２送信電力と第３送信電力との偏差の程度を早期に警報することに用いられ、該第３送信電力は該端末装置の現在の送信電力である。
【００９０】
選択肢として、該送受信ユニット３１０は具体的に、該第２送信電力と該第３送信電力との偏差値が報告閾値以下であることを確定した場合、該ネットワーク装置に該早期警報インジケータを送信することに用いられる。
【００９１】
選択肢として、該処理ユニット３２０は更に、ネットワーク装置から送信された第１オフセット値を受信する前に、該端末装置の干渉耐性に基づいて、該第２送信電力を確定することに用いられる。
【００９２】
注意されるべきように、送受信ユニット３１０は送受信機により実現されてもよく、処理ユニット３２０はプロセッサにより実現されてもよい。図４に示すように、端末装置４００はプロセッサ４１０、送受信機４２０及びメモリ４３０を備えてもよい。メモリ４３０は指示情報を記憶することに用いられてもよく、プロセッサ４１０の実行するコード、命令等を記憶することに用いられてもよい。端末装置４００における各コンポーネントはバスシステムによって接続され、バスシステムはデータバスのほか、更に電源バス、制御バス及び状態信号バスを含む。
【００９３】
図４に示される端末装置４００は上記図２〜図４の方法実施例における端末装置の実現する各過程を実現することができ、重複を避けるために、ここで繰り返して説明しない。
【００９４】
図５は本発明の実施例のネットワーク装置５００の模式的なブロック図である。
【００９５】
図５に示すように、該ネットワーク装置５００は、
第１オフセット値を確定することに用いられる処理ユニット５１０と、
該端末装置に該第１オフセット値を送信することに用いられ、それにより該端末装置が該第１オフセット値に基づいて該端末装置のアップリンクデータの第１送信電力を確定し、該第１送信電力が第２送信電力以下であり、該第２送信電力は該端末装置が該端末装置の干渉耐性に基づいて確定した送信電力である送受信ユニット５２０と、を備える。
【００９６】
選択肢として、該送受信ユニット５２０は更に、該第１オフセット値を確定する前に、該端末装置から送信された第２オフセット値を受信することに用いられ、該第２オフセット値は該第２送信電力と第３送信電力との間のオフセット値であり、該第３送信電力は該端末装置の現在の送信電力であり、
該処理ユニット５１０は、該第２オフセット値に基づいて該第１オフセット値を確定することに用いられる。
【００９７】
選択肢として、該第２オフセット値は媒体アクセス制御（ＭＡＣ）制御要素（ＣＥ）に含まれる。
【００９８】
選択肢として、該送受信ユニット５２０は具体的に、該端末装置から送信された該第２オフセット値を周期的に受信すること、又は、該端末装置から送信された該第２オフセット値を１回のみ受信することに用いられる。
【００９９】
選択肢として、該送受信ユニット５２０は更に、該第１オフセット値を確定する前に、該端末装置から送信された第３オフセット値を受信することに用いられ、該第３オフセット値は該第３送信電力と第４送信電力との間のオフセット値であり、該第３送信電力は該端末装置の現在の送信電力であり、該第４送信電力は該端末装置のサポートできる最大送信電力であり、
該処理ユニット５１０は、該第３オフセット値に基づいて該第１オフセット値を確定することに用いられる。
【０１００】
選択肢として、該送受信ユニット５２０は更に、該第１オフセット値を確定する前に、該端末装置から送信された早期警報インジケータを受信することに用いられ、該早期警報インジケータは該ネットワーク装置に該第２送信電力と第３送信電力との偏差の程度を早期に警報することに用いられ、該第３送信電力は該端末装置の現在の送信電力である。
【０１０１】
注意されるべきように、処理ユニット５１０はプロセッサにより実現されてもよく、送受信ユニット５２０は送受信機により実現されてもよい。図６に示すように、ネットワーク装置６００はプロセッサ６１０、送受信機６２０及びメモリ６３０を備えてもよい。メモリ６３０は指示情報を記憶することに用いられてもよく、プロセッサ６１０の実行するコード、命令等を記憶することに用いられてもよい。ネットワーク装置６００における各コンポーネントはバスシステムによって接続され、バスシステムはデータバスのほか、更に電源バス、制御バス及び状態信号バスを含む。
【０１０２】
図６に示されるネットワーク装置６００は上記図２〜図４の方法実施例におけるネットワーク装置の実現する各過程を実現することができ、重複を避けるために、ここで繰り返して説明しない。すなわち、本発明の実施例における方法実施例はプロセッサに適用されてもよく、プロセッサにより実現されてもよい。
【０１０３】
実現過程において、本発明の実施例における方法実施例の各ステップはプロセッサにおけるハードウェアの集積論理回路又はソフトウェア形式の命令で完成してもよい。より具体的に、本発明の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０１０４】
プロセッサは信号処理能力を有する集積回路チップである可能性があり、本発明の実施例に開示される各方法、ステップ及び論理ブロックを実現又は実行することができる。例えば、上記プロセッサは汎用プロセッサ、デジタルシグナルプロセッサ（ＤＳＰ、ｄｉｇｉｔａｌ  ｓｉｇｎａｌ  ｐｒｏｃｅｓｓｏｒ）、特定用途向け集積回路（ＡＳＩＣ、ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ、ｆｉｅｌｄ  ｐｒｏｇｒａｍｍａｂｌｅ  ｇａｔｅ  ａｒｒａｙ）又は他のプログラマブルロジックデバイス、トランジスタロジックデバイス、個別ハードウェアコンポーネント等であってもよい。なお、汎用プロセッサはマイクロプロセッサであってもよく、又は該プロセッサはいかなる通常のプロセッサ等であってもよい。
【０１０５】
なお、本発明の実施例において、メモリは揮発性メモリであっても、又は不揮発性メモリであってもよく、又は、揮発性メモリ及び不揮発性メモリの両方を含んでもよい。不揮発性メモリは読み出し専用メモリ（ＲＯＭ、ｒｅａｄ−ｏｎｌｙ  ｍｅｍｏｒｙ）、プログラム可能読み出し専用メモリ（ＰＲＯＭ、ｐｒｏｇｒａｍｍａｂｌｅ  ＲＯＭ）、消去可能プログラム可能読み出し専用メモリ（ＥＰＲＯＭ、ｅｒａｓａｂｌｅ  ＰＲＯＭ）、電気的消去可能プログラム可能読み出し専用メモリ（ＥＥＰＲＯＭ、ｅｌｅｃｔｒｉｃａｌｌｙ  ＥＰＲＯＭ）又はフラッシュメモリであってよい。揮発性メモリは外部キャッシュメモリとして使用されるランダムアクセスメモリ（ＲＡＭ、ｒａｎｄｏｍ  ａｃｃｅｓｓ  ｍｅｍｏｒｙ）であってもよい。理解されるべきように、上記メモリは例示的な説明であって制限的ではなく、例えば、本発明の実施例におけるメモリは更にスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。すなわち、本明細書に説明されるシステム及び方法のメモリはこれらのメモリ及び任意の他の適切なタイプのメモリを含んでもよいが、それらに限らないように意図されるものである。
【０１０６】
最後に、注意されるべきように、本発明の実施例及び添付の特許請求の範囲に使用される用語は特定の実施例を説明するためのものであり、本発明の実施例を制限するためのものではない。
【０１０７】
例えば、上下の文脈において他の意味を明確に示していない限り、本発明の実施例及び添付の特許請求の範囲に使用される単数形式の「１つ」、「前記」及び「該」は複数形式も含むように意図されている。
【０１０８】
更に、例えば、本発明の実施例において「第１端末装置」と「第２端末装置」という用語を用いる可能性があるが、これらの端末装置はこれらの用語に限らない。これらの用語は異なるタイプのセル群を区分するためのものである。
【０１０９】
更に、例えば、コンテクストによって、ここで使用される「○○とき」という用語は「○○であれば」又は「○○場合」又は「○○際」又は「確定に応答する」又は「検出に応答する」と解釈されてもよい。それと似ていて、コンテクストによって、「確定すれば」又は「（陳述した条件又はイベントを）検出すれば」という連語は「確定する時」又は「確定に応答する」又は「（陳述した条件又はイベントを）検出する時」又は「（陳述した条件又はイベントの）検出に応答する」と解釈されてもよい。
【０１１０】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本発明の実施例の範囲を超えるものと見なされるべきではない。
【０１１１】
当業者であれば明確に理解できるように、説明を容易且つ簡単にするために、上記説明されるシステム、装置及びユニットの具体的な動作過程は、前述の方法実施例における対応過程を参照してもよく、ここで繰り返して説明しない。
【０１１２】
本願に係るいくつかの実施例において、理解されるべきように、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば、複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１１３】
分離部材として説明される前記ユニットは物理的に分離してもよく、物理的に分離しなくてもよく、ユニットとして表示される部材は物理ユニットであってもよく、物理ユニットでなくてもよく、すなわち、一箇所に位置してもよく、複数のネットワークユニットに分布されてもよい。実際の必要に応じて、その一部又は全部のユニットを選択して本発明の実施例の目的を実現してもよい。
【０１１４】
また、本発明の実施例において、各機能ユニットは１つの処理ユニットに統合されてもよく、各ユニットは独立して物理的に存在してもよく、２つ又は２つ以上のユニットは１つのユニットに統合されてもよい。
【０１１５】
ソフトウェア機能ユニットの形式で実現され、独立した製品として販売又は使用されるときは、１つのコンピュータ可読記憶媒体に記憶されてもよい。このような理解に基づき、本発明の実施例の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本発明の実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ、ランダムアクセスメモリ、磁気ディスク又は光ディスク等のプログラムコードを記憶できる様々な媒体を含む。
【０１１６】
以上は本発明の実施例の具体的な実施形態に過ぎず、本発明の実施例の保護範囲を制限するためのものではなく、当業者が本発明の実施例に開示される技術的範囲内で容易に想到し得る変更や置換は、いずれも本発明の実施例の保護範囲内に含まれるべきである。従って、本発明の実施例の保護範囲は特許請求の範囲に準じるべきである。
【図１】
2021503726.tif 000003
【図２】
2021503726.tif 000004
【図３】
2021503726.tif 000005
【図４】
2021503726.tif 000006
【図５】
2021503726.tif 000007
【図６】
2021503726.tif 000008
【手続補正書】
【提出日】令和2年9月29日(2020.9.29)
【手続補正１】
【補正対象書類名】明細書
【補正対象項目名】００１２
【補正方法】変更
【補正の内容】
【００１２】
いくつかの可能な実現方式では、前記端末装置は報告条件を満足することを確定した場合、前記ネットワーク装置に前記第２オフセット値を送信することは、
第２オフセット値が報告閾値以上である場合、前記端末装置が前記ネットワーク装置に前記第２オフセット値を送信することを含む。
【手続補正２】
【補正対象書類名】明細書
【補正対象項目名】００１６
【補正方法】変更
【補正の内容】
【００１６】
いくつかの可能な実現方式では、前記端末装置がネットワーク装置から送信された第１オフセット値を受信する前に、前記方法は更に、
前記端末装置が前記ネットワーク装置に早期警報インジケータを送信し、前記早期警報インジケータは前記ネットワーク装置に前記第２送信電力と第３送信電力とのオフセットの程度を早期に警報することに用いられ、前記第３送信電力が前記端末装置の現在の送信電力であることを含む。
【手続補正３】
【補正対象書類名】明細書
【補正対象項目名】００１７
【補正方法】変更
【補正の内容】
【００１７】
いくつかの可能な実現方式では、前記端末装置が前記ネットワーク装置に早期警報インジケータを送信することは、
前記端末装置は前記第２送信電力と前記第３送信電力との間のオフセット値が報告閾値以下であることを確定した場合、前記ネットワーク装置に前記早期警報インジケータを送信することを含む。
【手続補正４】
【補正対象書類名】明細書
【補正対象項目名】００１９
【補正方法】変更
【補正の内容】
【００１９】
第２態様では、データ伝送方法を提供し、前記方法は、
ネットワーク装置が第１オフセット値を確定することと、
前記ネットワーク装置が前記端末装置に前記第１オフセット値を送信し、それにより前記端末装置が前記第１オフセット値に基づいて前記端末装置のアップリンクデータの第１送信電力を確定し、前記第１送信電力が第２送信電力以下であり、前記第２送信電力は前記端末装置が前記端末装置の干渉耐性に基づいて確定した送信電力であることと、を含む。
【手続補正５】
【補正対象書類名】明細書
【補正対象項目名】００２４
【補正方法】変更
【補正の内容】
【００２４】
いくつかの可能な実現方式では、前記ネットワーク装置が第１オフセット値を確定する前に、前記方法は、
前記ネットワーク装置が前記端末装置から送信された早期警報インジケータを受信し、前記早期警報インジケータは前記ネットワーク装置に前記第２送信電力と第３送信電力とのオフセットの程度を早期に警報することに用いられ、前記第３送信電力が前記端末装置の現在の送信電力であることを含む。
【手続補正６】
【補正対象書類名】明細書
【補正対象項目名】００６１
【補正方法】変更
【補正の内容】
【００６１】
更に、例えば、該端末装置は報告条件を満足することを確定した場合のみ、該ネットワーク装置に該第２オフセット値を送信してもよく、該報告条件は該端末装置が該ネットワーク装置に該第２オフセット値を送信するようにトリガーすることに用いられる。更に、第２オフセット値が報告閾値以上である場合、該端末装置は該ネットワーク装置に該第２オフセット値を送信し、換言すれば、現在あるアップリンクの現在の送信電力（第３送信電力）がＰＣ１＿ｍａｘであることを仮定し、端末の現在実際にサポートできる送信電力（第２送信電力）がＰＣ２であれば、ＰＣ１＿ｍａｘ−ＰＣ２＞報告閾値の場合、端末がネットワークに報告するようにトリガーする。
【手続補正７】
【補正対象書類名】明細書
【補正対象項目名】００６５
【補正方法】変更
【補正の内容】
【００６５】
本発明の実施例において、端末装置がネットワーク装置に送信した第３オフセット値は、実際の送信電力と該端末装置のサポートできる最大送信電力とのオフセット値であり、従って、データ伝送の成功率を確保するために、即ち、該第１送信電力を該第２送信電力以下にするように確保するために、端末装置は該第２送信電力及び該第３オフセット値に基づいて該第１送信電力を確定する必要がある。
【手続補正８】
【補正対象書類名】明細書
【補正対象項目名】００７３
【補正方法】変更
【補正の内容】
【００７３】
他の実施例において、該端末装置はネットワーク装置から送信された第１オフセット値を受信する前に、該ネットワーク装置に早期警報インジケータを送信してもよく、該早期警報インジケータは該ネットワーク装置に該第２送信電力と第３送信電力とのオフセットの程度を早期に警報することに用いられ、該第３送信電力は該端末装置の現在の送信電力である。
【手続補正９】
【補正対象書類名】明細書
【補正対象項目名】００７５
【補正方法】変更
【補正の内容】
【００７５】
例えば、該端末装置は該第２送信電力と該第３送信電力とのオフセット値が報告閾値以下であることを確定した場合、該ネットワーク装置に該早期警報インジケータを送信してもよい。
【手続補正１０】
【補正対象書類名】明細書
【補正対象項目名】００８５
【補正方法】変更
【補正の内容】
【００８５】
選択肢として、該送受信ユニット３１０はより具体的に、第２オフセット値が報告閾値以上である場合、該ネットワーク装置に該第２オフセット値を送信することに用いられる。
【手続補正１１】
【補正対象書類名】明細書
【補正対象項目名】００８９
【補正方法】変更
【補正の内容】
【００８９】
選択肢として、該送受信ユニット３１０は更に、ネットワーク装置から送信された第１オフセット値を受信する前に、該ネットワーク装置に早期警報インジケータを送信することに用いられ、該早期警報インジケータは該ネットワーク装置に該第２送信電力と第３送信電力とのオフセットの程度を早期に警報することに用いられ、該第３送信電力は該端末装置の現在の送信電力である。
【手続補正１２】
【補正対象書類名】明細書
【補正対象項目名】００９０
【補正方法】変更
【補正の内容】
【００９０】
選択肢として、該送受信ユニット３１０は具体的に、該第２送信電力と該第３送信電力とのオフセット値が報告閾値以下であることを確定した場合、該ネットワーク装置に該早期警報インジケータを送信することに用いられる。
【手続補正１３】
【補正対象書類名】明細書
【補正対象項目名】０１００
【補正方法】変更
【補正の内容】
【０１００】
選択肢として、該送受信ユニット５２０は更に、該第１オフセット値を確定する前に、該端末装置から送信された早期警報インジケータを受信することに用いられ、該早期警報インジケータは該ネットワーク装置に該第２送信電力と第３送信電力とのオフセットの程度を早期に警報することに用いられ、該第３送信電力は該端末装置の現在の送信電力である。
【手続補正１４】
【補正対象書類名】特許請求の範囲
【補正対象項目名】全文
【補正方法】変更
【補正の内容】
【特許請求の範囲】
【請求項１】
端末装置がネットワーク装置から送信された第１オフセット値を受信することと、
前記端末装置が前記第１オフセット値に基づいて、前記端末装置のアップリンクデータの第１送信電力を確定し、前記第１送信電力が第２送信電力以下であり、前記第２送信電力は前記端末装置が前記端末装置の干渉耐性に基づいて確定した送信電力であることと、
前記端末装置が前記第１送信電力に基づいて前記ネットワーク装置に前記アップリンクデータを送信することと、を含むことを特徴とするデータ伝送方法。
【請求項２】
前記第１オフセット値は前記ネットワーク装置が第２オフセット値に基づいて確定した電力オフセット値であり、前記第２オフセット値は第２送信電力と第３送信電力との間のオフセット値であり、前記第３送信電力は前記端末装置の現在の送信電力であることを特徴とする請求項１に記載の方法。
【請求項３】
前記端末装置がネットワーク装置から送信された第１オフセット値を受信する前に、前記方法は更に、
前記端末装置が前記ネットワーク装置に前記第２オフセット値を送信することを含むことを特徴とする請求項２に記載の方法。
【請求項４】
前記第２オフセット値が媒体アクセス制御（ＭＡＣ）制御要素（ＣＥ）に含まれることを特徴とする請求項３に記載の方法。
【請求項５】
前記端末装置が前記ネットワーク装置に前記第２オフセット値を送信することは、
前記端末装置が前記ネットワーク装置に前記第２オフセット値を周期的に送信すること、又は、
前記端末装置が前記ネットワーク装置に前記第２オフセット値を１回のみ送信すること、又は、
前記端末装置は報告条件を満足することを確定した場合、前記ネットワーク装置に前記第２オフセット値を送信し、前記報告条件は前記端末装置が前記ネットワーク装置に前記第２オフセット値を送信するようにトリガーすることに用いられることを含むことを特徴とする請求項３に記載の方法。
【請求項６】
前記端末装置は報告条件を満足することを確定した場合、前記ネットワーク装置に前記第２オフセット値を送信することは、
第２オフセット値が報告閾値以上である場合、前記端末装置が前記ネットワーク装置に前記第２オフセット値を送信することを含むことを特徴とする請求項５に記載の方法。
【請求項７】
前記第１オフセット値は前記ネットワーク装置が第３オフセット値に基づいて確定した電力オフセット値であり、前記第３オフセット値は前記端末装置から前記ネットワーク装置に送信され、前記第３オフセット値は第３送信電力と第４送信電力との間のオフセット値であり、前記第３送信電力は前記端末装置の現在の送信電力であり、前記第４送信電力は前記端末装置のサポートできる最大送信電力であることを特徴とする請求項１に記載の方法。
【請求項８】
前記端末装置が前記第１オフセット値に基づいて前記端末装置のアップリンクデータの第１送信電力を確定することは、
前記端末装置が前記第１オフセット値及び前記第３送信電力に基づいて第５送信電力を確定することと、
前記端末装置が前記第２送信電力と前記第５送信電力を比較することにより、前記第１送信電力を確定することと、を含むことを特徴とする請求項７に記載の方法。
【請求項９】
前記端末装置が前記第２送信電力と前記第５送信電力を比較することにより、前記第１送信電力を確定することは、
前記第５送信電力が前記第２送信電力より小さい場合、前記端末装置が前記第５送信電力を前記第１送信電力として確定すること、又は、
前記第５送信電力が前記第２送信電力以上である場合、前記端末装置が前記第２送信電力を前記第１送信電力として確定することを含むことを特徴とする請求項８に記載の方法。
【請求項１０】
前記端末装置がネットワーク装置から送信された第１オフセット値を受信する前に、前記方法は更に、
前記端末装置が前記ネットワーク装置に早期警報インジケータを送信し、前記早期警報インジケータは前記ネットワーク装置に前記第２送信電力と第３送信電力とのオフセットの程度を早期に警報することに用いられ、前記第３送信電力が前記端末装置の現在の送信電力であることを含むことを特徴とする請求項１に記載の方法。
【請求項１１】
前記端末装置が前記ネットワーク装置に早期警報インジケータを送信することは、
前記端末装置は前記第２送信電力と前記第３送信電力との間のオフセット値が報告閾値以下であることを確定した場合、前記ネットワーク装置に前記早期警報インジケータを送信することを含むことを特徴とする請求項１０に記載の方法。
【請求項１２】
前記端末装置がネットワーク装置から送信された第１オフセット値を受信する前に、前記方法は更に、
前記端末装置が前記端末装置の干渉耐性に基づいて、前記第２送信電力を確定することを含むことを特徴とする請求項１〜１１のいずれか１項に記載の方法。
【請求項１３】
ネットワーク装置が第１オフセット値を確定することと、
前記ネットワーク装置が端末装置に前記第１オフセット値を送信し、それにより前記端末装置が前記第１オフセット値に基づいて前記端末装置のアップリンクデータの第１送信電力を確定し、前記第１送信電力が第２送信電力以下であり、前記第２送信電力は前記端末装置が前記端末装置の干渉耐性に基づいて確定した送信電力であることと、を含むことを特徴とするデータ伝送方法。
【請求項１４】
端末装置であって、請求項１〜１２のいずれか１項に記載の方法を実行するように構成される端末装置。  
【請求項１５】
請求項１３に記載の方法を実行するように構成されるネットワーク装置。
【国際調査報告】
2021503726.tif 000009
2021503726.tif 000010
2021503726.tif 000011
2021503726.tif 000012